(57)【要約】  R-PDCCHの下り回線データ割当を指示するDL grantが配置されている場合でも、PDSCHのチャネル推定精度を向上させることができる中継局。この装置において、信号分離部（２０３）は、基地局（１００）から送信された制御情報、データ及び参照信号であって、周波数領域を分割した複数のPRBのうち、一つ又は複数のPRBで構成されるプリコーディングRBグループ（PRG）内の第１領域及び第２領域に配置された参照信号と、第１領域に配置された制御情報と、第２領域に配置されたデータとを、受信し、復調部（２０４）は、参照信号に基づいて、データを復調する。復調部（２０４）は、第２領域に配置された参照信号を用いてデータを復調する。
2012114666.tif 000002
【特許請求の範囲】
【請求項１】
基地局と移動局との間の通信を、中継局を介して行う通信システムにおいて、
前記基地局から送信された制御情報、データ及び参照信号であって、周波数領域を分割した複数のリソースブロック（ＲＢ）のうち、一つ又は複数のＲＢで構成されるプリコーディングＲＢグループ（ＰＲＧ）内の第１領域及び第２領域に配置された前記参照信号と、前記第１領域に配置された前記制御情報と、前記第２領域に配置された前記データとを、受信する受信部と、
前記参照信号に基づいて、前記データを復調する復調部と、
を有し、
前記復調部は、前記第２領域に配置された前記参照信号を用いて前記データを復調する、
中継局。
【請求項２】
前記第２領域は、前記第１領域を構成するＲＢと周波数領域が同じかつ時間領域において後続する第３領域と、前記第１領域とは異なる周波数の第４領域で構成され、
前記復調部は、前記第３領域に配置された前記データを、前記第４領域に配置された前記参照信号を用いて、復調する、
請求項１に記載の中継局。
【請求項３】
前記第２領域は、前記第１領域とは異なる周波数領域で構成されている、
請求項１に記載の中継局。
【請求項４】
前記第１領域を構成するＲＢと周波数領域が同じかつ時間領域において後続する領域には、前記データが配置されていない、
請求項１に記載の中継局。
【請求項５】
前記第１領域は一つのスロットで構成され、前記スロットと周波数領域が同じかつ後続するスロットには、前記データが配置されていない、
請求項１に記載の中継局。
【請求項６】
前記第１領域に配置されている前記制御情報と、前記第２領域に配置されている前記データとが、同一のプリコーディングを用いて送信される場合にのみ、前記第１領域を構成するＲＢと周波数領域が同じかつ時間領域において後続する領域に、前記データが配置されている、
請求項１に記載の中継局。
【請求項７】
前記第１領域が複数のＲＢから構成されている場合には、前記第１領域に配置されている前記制御情報と、前記第２領域に配置されている前記データとが、同一のプリコーディングを用いて送信される場合にのみ、前記第１領域を構成するＲＢと周波数領域が同じかつ時間領域において後続する領域に、前記データが配置されている、
請求項１に記載の中継局。
【請求項８】
前記復調部は、前記第２領域に配置された前記参照信号と、前記第１領域に配置された前記参照信号とを用いて、前記データを復調する、
請求項６に記載の中継局。
【請求項９】
前記ＰＲＧ内に配置された前記データは、同一のプリコーディングを用いて送信されている、
請求項１に記載の中継局。
【請求項１０】
前記参照信号は、チャネル推定のために用いられる、
請求項１に記載の中継局。
【請求項１１】
前記復調部は、前記各ＲＢに配置された少なくとも一つの前記参照信号から少なくとも一つのＲＢ毎のチャネル推定値を取得し、取得したチャネル推定値を平均化した値を用いて、前記データを復調する、
請求項１に記載の中継局。
【請求項１２】
基地局と移動局との間の通信を、中継局を介して行う通信システムにおいて、
周波数領域を分割した複数のリソースブロック（ＲＢ）のうち、一つ又は複数のＲＢで構成されるプリコーディングＲＢグループ（ＰＲＧ）内の第１領域及び第２領域に参照信号を配置し、前記第１領域に制御情報を配置し、前記第２領域にデータを配置する、配置部と、
配置された前記参照信号、前記制御情報及び前記データを、前記中継局に送信する送信部と、
を有し、
前記配置部は、前記第１領域を構成するＲＢと周波数領域が同じかつ時間領域において後続する領域には、前記データを配置しない、
基地局。
【請求項１３】
基地局と移動局との間の通信を、中継局を介して行う通信システムにおいて、
前記基地局から送信された制御情報、データ及び参照信号であって、周波数領域を分割した複数のリソースブロック（ＲＢ）のうち、一つ又は複数のＲＢで構成されるプリコーディングＲＢグループ（ＰＲＧ）内の第１領域及び第２領域に配置された前記参照信号と、前記第１領域に配置された前記制御情報と、前記第２領域に配置された前記データとを、前記中継局において受信し、
前記中継局において、前記参照信号に基づいて、前記データを復調する、
通信方法であって、
前記中継局は、前記第２領域に配置された前記参照信号を用いて前記データを復調する、
通信方法。
【発明の詳細な説明】
【技術分野】
【０００１】
本発明は、中継局、基地局、及び通信方法に関する。
【背景技術】
【０００２】
近年、セルラ移動体通信システムにおいては、情報のマルチメディア化に伴い、音声データのみならず、静止画像データ及び動画像データ等の大容量データを伝送することが一般化しつつある。大容量データの伝送を実現するために、高周波の無線帯域を利用して高伝送レートを実現する技術に関する検討が盛んになされている。【０００３】
しかし、高周波の無線帯域を利用する場合には、近距離では高伝送レートを期待できる一方、遠距離になるに従って伝送距離による減衰が大きくなる。よって、高周波の無線帯域を利用した移動体通信システムを実際に運用する場合には、無線通信基地局装置（以下、「基地局」と省略する。又は「ｅＮＢ（evolved Node B）」）のカバーエリアが小さくなるため、より多くの基地局を設置する必要がある。基地局の設置には相応のコストがかかる。従って、基地局数の増加を抑制しつつ、高周波の無線帯域を利用した通信サービスを実現するための技術が強く求められている。【０００４】
このような要求に対し、各基地局のカバーエリアを拡大させるために、基地局と無線通信移動局装置（以下、「移動局」と省略する。又は「ＵＥ（User Equipment）」）との間に、無線通信中継局装置（以下、「中継局」と省略する。又は「ＲＮ（Relay Node）」）を設置し、基地局と移動局との間の通信を中継局を介して行う、中継送信技術が検討されている。中継（Relay）技術を用いると、基地局と直接通信できない移動局も、中継局を介して通信することができる。例えば、図１（ａ）、（ｂ）に示す無線中継システムでは、基地局１０と移動局３０との間に、中継局２０を設置し、基地局１０と移動局３０との間の通信を中継局２０を介して行う。【０００５】
［TD relay］
上記した中継技術の導入が検討されているＬＴＥ−Ａ（Long Term Evolution Advanced）システムに対しては、ＬＴＥ（Long Term Evolution）からのスムーズな移行及びＬＴＥとの共存の観点から、ＬＴＥとの互換性を維持することが要求されている。そのため、Ｒｅｌａｙ技術に関しても、ＬＴＥとの相互互換性が求められている。ＬＴＥ−Ａシステムでは、ＬＴＥとの相互互換性を達成するために、下り回線（Down Link；以下、「DL」という）において、基地局から中継局への送信時に、MBSFN（MBMS Single Frequency Network）サブフレームを設定することが検討されている。【０００６】
ここで、中継局を介して行われる基地局と移動局との間の通信は、時分割中継（つまり、TD relay）によって行われる。図１は、TD relayの説明に供する図である。図１（ａ）は、下り回線でのTD relayを説明するための概念図であり、図１（ｂ）は、上り回線でのTD relayを説明するための概念図である。TD relay（half duplex relayまたはType1 relayとも呼ばれる）では、基地局から中継局の送信と、中継局から移動局の送信とが、時間で分割される。【０００７】
図１（ｂ）に示すように、上り回線では、サブフレーム#2では、アクセスリンク（Access link）で移動局３０から中継局２０への送信が行われ、サブフレーム#3では、バックホールリンク（Backhaul link）で中継局２０から基地局１０への通信が行われる。そして、サブフレーム#4では、再び、移動局３０から中継局２０への送信が行われる。【０００８】
同様に、図１（ａ）に示すように、下り回線では、サブフレーム#2では、アクセスリンクで中継局２０から移動局３０への送信が行われ、サブフレーム#3では、バックホールリンクで基地局１０から中継局２０への通信が行われる。そして、サブフレーム#4では、再び、中継局２０から移動局３０への送信が行われる。【０００９】
上述のように、バックホールの通信と、中継局２０のアクセスリンクの通信とを時間領域で分割することにより、中継局２０が送信する時間と受信する時間とを分割することができる。従って、中継局２０は、送信アンテナと受信アンテナとの間の回りこみの影響を受けずに、信号を中継することができる。【００１０】
また、下り回線では、MBSFNサブフレームをアクセスリンクに設定する。「MBSFNサブフレーム」とは、MBMS（Multimedia Broadcast Multicast Service）データを送信するために定義されたサブフレームである。ＬＴＥ端末は、MBSFNサブフレームでは参照信号を利用しないという動作が定められている。【００１１】
そこで、ＬＴＥ−Ａでは、中継局が基地局と通信するバックホールリンク用サブフレームと重なる、アクセスリンク用サブフレームを、MBSFNサブフレームに設定する手法が提案されている。この提案により、ＬＴＥ端末が参照信号を誤検出することを回避することができる。【００１２】
図２には、ＬＴＥシステムのサブフレームを用いた場合の、基地局１０、中継局２０、及び移動局３０の各局に対する制御信号及びデータの割当状況の一例が示されている。図２に示すように、ＬＴＥシステムでは、各局で送信又は受信される下り制御信号は、サブフレームの先頭部分の制御信号領域（以下、「PDCCH（Physical Downlink Control Channel）領域」と呼ぶ）に配置される。すなわち、基地局１０及び中継局２０の両方とも、サブフレームの先頭部分のPDCCH領域で制御信号を送信することになる。中継局２０に着目すると、MBSFNサブフレームであっても移動局３０へ下り制御信号（PDCCH）を送信しなければならない。従って、中継局２０は、下り制御信号を移動局３０へ送信し、その後に受信処理へ切り替えることにより、基地局１０から送信された信号の受信に備える。しかしながら、中継局２０が下り制御信号を移動局３０へ送信しているタイミングで基地局１０も中継局２０宛の下り制御信号を送信している。そのため、中継局２０は、基地局１０から送信された下り制御信号を受信することができない。このような不都合を回避するために、ＬＴＥ−Ａでは、図２に示すように、データ領域に、中継局用の下り制御信号を配置する領域（R-PDCCH（Relay用PDCCH）領域）を設けることが検討されている。【００１３】
［制御信号］
ＬＴＥでは、制御信号は、例えば、PDCCH等の下り回線制御チャネルを用いて、基地局から移動局へ送信される。また、DLのデータ（PDSCH（Physical Downlink Shared Channel））割当を指示するDL grant、及び、ULのデータ（PUSCH（Physical Uplink Shared Channel））割当を指示するDL grantが、PDCCHに含まれる。【００１４】
ＬＴＥ−Ａでは、DL grant及びDL grantをR-PDCCHに含めることが検討されている。さらに、R-PDCCHでは、DL grantを1st slotに配置し、UL grantを2nd slotに配置することが検討されている（非特許文献１参照）。こうしてDL grantを1st slotのみに配置することで、DL grantの復号遅延を短くし、中継局では、DLデータに対するACK/NACKの送信(FDDでは、DL grantの受信から４サブフレーム後に送信される)に備えることができる。【００１５】
また、図３に示すように、R-PDCCH領域が設けられる物理層のリソースブロック（PRB（Physical Resource Block））を中継局毎に異ならせることも、検討されている。図３において、縦軸は周波数（Frequency）を示し、横軸は時間（Time）を示す。例えば、図３では、同一サブフレーム内において、中継局RN1に対するR-PDCCHがPRB#0に配置され、中継局RN2に対するR-PDCCHがPRB#6,7に配置されている。各中継局は、基地局からR-PDCCH領域を用いて送信された下り制御信号を、基地局からhigher layer signalingによって指示されたリソース領域（R-PDCCHに対するサーチスペース（Search Space））内でブラインド復号（blind decoding）することにより、自局宛の下り制御信号を見つける。【００１６】
［DM-RSの配置］
また、ＬＴＥ−Ａにおいて、主に移動局及び中継局毎に異なるビームを向けるために、DM-RS（Demodulation Reference Signal）の導入が検討されている。DM-RSは、互いに直交したリソースとして定義される複数のポート（例えば、port 7,8,9,10）と、互いに非直交であるが、異なる系列を用いてランダム化して定義されたスクランブリングＩＤ（SC-ID：SC-ID 0, 1）との組み合わせで表現される。DM-RSをチャネル推定に利用する場合、DM-RSと、DM-RSに付随する制御信号及びデータ信号とに対して、同一のビーム（同一プリコーディング）を適用とすることで、基地局は任意のビームを適用することができる。【００１７】
図４は、チャネル推定に使用されるDM-RSの配置の説明に供する図である。図４（ａ）、（ｂ）において、縦軸は周波数（Frequency）を示し、横軸は時間（Time）を示す。DM-RSは、通常、図４（ａ）に示すように各スロット（1st slot及び2nd slot）の後方２シンボルに配置される。図４（ａ）に示すように、通常のサブフレーム（normal subframe）の場合、DM-RS（図４（ａ）及び（ｂ）では、DM-RS port 7,8と表記）は、OFDM symbol #5, #6、及び、OFDM symbol #11, #12に配置される。また、図４（ｂ）に示すように、前述のTD relayにおいて、中継局と基地局間との距離が離れている場合等、直後のサブフレームにULのデータ割当が有り、中継局から基地局に向けた信号の送信タイミングの制約が厳しい場合に向けて、2nd slotの最終シンボル（OFDM symbol #12）を用いない信号配置が検討されている。図４（ｂ）では、OFDM symbol #12を用いない信号配置とするため、DM-RSは、2nd slotに配置されず、1st slotのみに配置される。【００１８】
また、前述のように、中継局はR-PDCCHのブラインド復号を行うため、R-PDCCHで用いられるDM-RSは、例えば、port 7かつSC-ID＝0に固定される。これにより、R-PDCCHでは、各中継局は、port 7以外の他のポート、及び、SC-ID＝0以外の他のSC-IDに対するブラインド復号を省略でき、ブラインド復号回数を低減できる。これにより、処理の簡略化が図られている。【００１９】
一方、PDSCHについては、基地局は、DL grantを用いて、PDSCHで利用するポートを明示的に通知できる。そのため、基地局は、複数のビームを用いて同一中継局宛てのPDSCHを送信するSU-MIMO（Single User Multiple-Input Multiple-Output）、又は、複数の中継局宛てのPDSCHをそれぞれ異なるビームで送信するMU-MIMO（Multi User-MIMO）の動作を行うことができる。【００２０】
更に、R-PDCCH領域内のDM-RSを送信する領域（以下、「DL grant領域」と呼ぶ）では、他の信号が送信されないので、PDSCHの送信ビーム数（以下、「ランク」と表記）によらずDL grantはランク１送信となる。このため、基地局では、DL grantが配置される該当リソースに割り当てられる全ての電力をDM-RS及びDL grantに割り当てるPower boostを適用することで、DL grantの検出精度を改善することが可能となる。【００２１】
［PRB bundling］
また、チャネル推定精度を向上させるための技術として、PRB bundlingが検討されている。PRB bundlingとは、DM-RSを用いて中継局又は移動局毎に異なるビームを向ける場合に、隣接する複数のPRBに対して同一プリコーディングを使用し、チャネル推定精度を向上させる技術である。（例えば、非特許文献２、7.1.6.5節を参照）。例えば、PRB bundlingでは、受信側は、同一プリコーディングが適用される隣接するPRB単位（以下、PRG（Precoding Resource Block Group））で、各RBに配置されたDM-RSを用いて算出されたチャネル推定値の平均化又は補間を行う。【００２２】
［PRGサイズ］
ここで、同一プリコーディングが適用される隣接するPRBの数を、PRGサイズ（Precoding Resource Block Group size）と呼ぶ。PRGサイズは、システム帯域幅（System band width）に含まれるRB数（RBsと表記）によって異なる値が設定される。図５は、システム帯域内のRB数と、PRGサイズ及びRBGサイズ（Resource Block Group size）との対応関係を示す。ここで、RBGとは、１つ又は複数のRBをまとめた単位である。図５に示すように、システム帯域内のRB数によって、PRGサイズ及びRBGサイズが定められている。【００２３】
また、PRGサイズが大きいほど、同一プリコーディングが適用されたDM-RSが増加するので、DM-RSの受信性能（例えば、SNR（Signal to Noise Ratio））を高めることができる。一方、PRGサイズが大きいほど、周波数選択性フェージングの影響が各DM-RSで均一でなくなるので、当該DM-RSを用いても最適なビームが設定されない可能性が高くなる。そのため、上記「参照信号の受信性能の向上効果」と「周波数選択性フェージングの影響」とのトレードオフを考慮して、図５に示すように、システム帯域内のRB数が多くなる場合でも、PRGサイズは、２又は３に設定されている。【００２４】
［R-PDCCHのアグリゲーションサイズ］
また、ＬＴＥのRelease 8におけるPDCCHと同様に、R-PDCCH領域においてDL grant及びUL grantの符号化率を回線品質に応じて変更するために、アグリゲーションサイズ（aggregation size。CCE（Control Channel Element） aggregation sizeと呼ぶこともある）を複数用意することが検討されている。図６は、R-PDCCHのアグリゲーションサイズを示す概念図である。図６において縦軸は周波数（Frequency）を示し、横軸は時間（Time）を示す。図６に示すように、R-PDCCHのアグリゲーションサイズが８、４、２、１と小さくなるほど、符号化率が高くなる。すなわち、アグリゲーションサイズが小さいほど、基地局と中継局との間の回線品質が良い場合に適している。【００２５】
例えば、基地局は、自局と中継局との間の回線品質を推定し、R-PDCCHのアグリゲーションサイズを決定して、決定されたアグリゲーションサイズに応じた信号を中継局に送信する。一方、中継局は、サブフレーム毎に変更されるアグリゲーションサイズを事前に知らない。そこで、中継局は、複数のアグリゲーションサイズ（図６ではアグリゲーションサイズ１，２，４，８）のそれぞれについてブラインド復号を行う。
【先行技術文献】
【非特許文献】
【００２６】
【非特許文献１】3GPP TS 36.216 v10. 1. 0, "Physical Layer for relaying operation (release 10)," December, 2010
【非特許文献２】3GPP TS 36.213 v10. 0. 1, "Physical Layer procedures (release 10)," December, 2010
【発明の概要】
【発明が解決しようとする課題】
【００２７】
上述したPRB bundlingを基地局と中継局との間の通信にそのまま適用しようとすると、1st slotのみにDM-RSが配置される場合（図４（ｂ）参照）に、以下のような課題が生じる。【００２８】
例えば、図７に示すPRG内（PRB#0〜#2）において、DL grantが配置されるR-PDCCH領域（PRB#0の1st slot）で送信されるDM-RSはランク＝１、かつ、Power boostされた信号となる。これに対し、図７に示すように、PDSCHが送信されるデータ領域（以下、「PDSCH領域」と呼ぶ）で送信されるDM-RSは、データ信号（PDSCH信号）と同様、複数ランクの信号となり得る。【００２９】
図７に示すPRB#0〜#2でPRB bundlingを適用することで、中継局は、復調の際、R-PDCCH領域のDM-RS（PRB#0に配置されたDM-RS）を用いて得られたチャネル推定値と、PDSCH領域のDM-RS（PRB#1,#2に配置されたDM-RS）を用いて得られたチャネル推定値とを平均化する。ここで、中継局は、図７に示すように、PRB#1,#2では、PDSCH信号と同一ランク（ランク２）、つまり、同一プリコーディングが適用されたDM-RSを用いてPDSCH信号のチャネル推定を行う。このため、PRB#1,#2では、PDSCH信号のチャネル推定精度が良好となる。これに対して、PRB#0では、ランクが固定（ランク１）であるので、中継局は、PDSCHと異なるランク（異なるプリコーディング）が適用されたDM-RSを用いてPDSCH信号のチャネル推定を行う可能性がある。よって、R-PDCCHの下り回線データ割当を指示するDL grantが配置されたPRB#0では、PDSCH信号のチャネル推定精度が、PRB#1,#2と比較して劣悪になる可能性が高くなる。【００３０】
本発明の目的は、R-PDCCHの下り回線データ割当を指示するDL grantが配置されている場合でも、PDSCHのチャネル推定精度を向上させることができる中継局、基地局、及び通信方法を提供することである。
【課題を解決するための手段】
【００３１】
本発明の一態様の中継局は、基地局と移動局との間の通信を、中継局を介して行う通信システムにおいて、前記基地局から送信された制御情報、データ及び参照信号であって、周波数領域を分割した複数のリソースブロック（ＲＢ）のうち、一つ又は複数のＲＢで構成されるプリコーディングＲＢグループ（PRG）内の第１領域及び第２領域に配置された前記参照信号と、前記第１領域に配置された前記制御情報と、前記第２領域に配置された前記データとを、受信する受信部と、前記参照信号に基づいて、前記データを復調する復調部と、を有し、前記復調部は、前記第２領域に配置された前記参照信号を用いて前記データを復調する。【００３２】
本発明の一態様の基地局は、基地局と移動局との間の通信を、中継局を介して行う通信システムにおいて、周波数領域を分割した複数のリソースブロック（ＲＢ）のうち、一つ又は複数のＲＢで構成されるプリコーディングＲＢグループ（PRG）の第１領域及び第２領域に参照信号を配置し、前記第１領域に制御情報を配置し、前記第２領域にデータを配置する、配置部と、配置された前記参照信号、前記制御情報及び前記データを、前記中継局に送信する送信部と、を有し、前記配置部は、前記第１領域を構成するＲＢと周波数領域が同じかつ時間領域において後続する領域には、前記データを配置しない。【００３３】
本発明の一態様の通信方法は、基地局と移動局との間の通信を、中継局を介して行う通信システムにおいて、前記基地局から送信された制御情報、データ及び参照信号であって、周波数領域を分割した複数のリソースブロック（ＲＢ）のうち、一つ又は複数のＲＢで構成されるプリコーディングＲＢグループ（PRG）内の第１領域及び第２領域に配置された前記参照信号と、前記第１領域に配置された前記制御情報と、前記第２領域に配置された前記データとを、前記中継局において受信し、前記中継局において、前記参照信号に基づいて、前記データを復調する、通信方法であって、前記中継局は、前記第２領域に配置された前記参照信号を用いて前記データを復調する。
【発明の効果】
【００３４】
本発明によれば、R-PDCCHの下り回線データ割当を指示するDL grantが配置されている場合でも、PDSCHのチャネル推定精度を向上させることができる。
【図面の簡単な説明】
【００３５】
【図１】時分割中継（TD relay）の説明に供する図
【図２】基地局、中継局、及び移動局の各局に対する制御信号及びデータの割当状況の一例を示す図
【図３】R-PDCCHの配置例を示す図
【図４】DM-RSの配置例を示す図
【図５】システム帯域内のRB数と、PRGサイズ及びRBGサイズとの対応関係を示す図
【図６】R-PDCCHのアグリゲーションサイズを示す図
【図７】同一PRG内の複数のPRBにおけるチャネル推定精度の違いの説明に供する図
【図８】本発明の実施の形態１に係る中継局の主要構成図
【図９】本発明の実施の形態１に係る基地局の構成を示すブロック図
【図１０】本発明の実施の形態１に係る中継局の構成を示すブロック図
【図１１】本発明の実施の形態１に係るチャネル推定処理の説明に供する図
【図１２】本発明の実施の形態２に係る基地局の主要構成図
【図１３】本発明の実施の形態２に係る基地局の構成を示すブロック図
【図１４】本発明の実施の形態２に係る中継局の構成を示すブロック図
【図１５】本発明の実施の形態２に係るデータ信号の割当処理の説明に供する図
【図１６】本発明の実施の形態３に係る基地局の構成を示すブロック図
【図１７】本発明の実施の形態３に係る中継局の構成を示すブロック図
【図１８】本発明の実施の形態３に係るデータ信号の割当処理の説明に供する図
【図１９】本発明の実施の形態３に係るバリエーションを示す図
【発明を実施するための形態】
【００３６】
以下、本発明の実施の形態について図面を参照して詳細に説明する。なお、実施の形態において、同一の構成要素には同一の符号を付し、その説明は重複するので省略する。
【００３７】
なお、本発明の各実施の形態では、図４（ｂ）に示すように、2nd slotの最終シンボル（図４（ｂ）ではOFDM symbol #12）を用いない信号配置のサブフレームについて説明する。すなわち、以下の説明では、図４（ｂ）に示すように、DM-RSは、R-PDCCH領域内の2nd slotに対応するリソースには配置されず、1st slotに対応するリソースのみに配置される。
【００３８】
[実施の形態１]
[通信システムの概要]
本実施の形態に係る通信システムは、基地局１００と中継局２００とを有する。基地局１００は、例えば、ＬＴＥ−Ａ基地局であり、中継局２００は、ＬＴＥ−Ａ中継局である。本実施の形態に係る通信システムでは、基地局１００と各移動局との間の通信が、中継局２００を介して行われる。
【００３９】
また、本実施の形態に係る通信システムでは、基地局１００が、周波数領域を分割した複数のリソースブロック（PRB）のうち、１つ又は複数のPRBで構成されるプリコーディングリソースブロックグループ（PRG）単位で隣接する複数のPRBに含まれるデータ信号（PDSCH信号）を、同一プリコーディングを用いて送信する。ここで、同一プリコーディングを用いて送信されるデータ信号（PDSCH信号）を含む隣接する複数のPRBは、同一PRGを構成する。一方、基地局１００は、DL grantが配置されたPRBの1st slotのみで、PDSCH信号と異なるプリコーディング（具体的にはランク１送信）を適用することで、DL grantの検出精度を改善する。
【００４０】
図８は、本実施の形態に係る中継局２００の主要構成図である。中継局２００において、信号分離部２０３は、基地局１００から送信された制御情報、データ及び参照信号であって、周波数領域を分割した複数のPRBのうち、一つ又は複数のPRBで構成されるプリコーディングリソースブロックグループ（PRG）内の第１領域及び第２領域に配置された参照信号と、第１領域に配置された制御情報と、第２領域に配置されたデータとを、受信し、復調部２０４は、参照信号に基づいて、データを復調する。ここで、復調部２０４は、第２領域に配置された参照信号を用いてデータを復調する。
【００４１】
[基地局の構成]
図９は、本実施の形態に係る基地局１００の構成を示すブロック図である。図９において、基地局１００は、アンテナ１０１と、無線受信部１０２と、復調部１０３と、誤り訂正復号部１０４と、R-PDCCH用サーチスペース決定部１０５と、誤り訂正符号化部１０６と、変調部１０７と、信号割当部１０８と、制御信号符号化部１０９と、制御信号割当部１１０と、プリコーディング部１１１と、無線送信部１１２−１，１１２−２と、アンテナ１１３−１，１１３−２とを有する。また、信号割当部１０８と制御信号割当部１１０とで、参照信号（DM-RS等）、制御信号（DL grant等）及びデータをリソースに配置する配置部となる。
【００４２】
無線受信部１０２は、中継局２００又は移動局から送信された信号をアンテナ１０１を介して受信し、ダウンコンバート等の無線処理を施した後に復調部１０３へ出力する。
【００４３】
復調部１０３は、無線受信部１０２から入力される信号を復調し、復調後の信号を誤り訂正復号部１０４へ出力する。
【００４４】
誤り訂正復号部１０４は、復調部１０３から入力される信号を復号し、得られた受信信号を出力する。
【００４５】
R-PDCCH用サーチスペース決定部１０５は、システム帯域幅を示すシステム帯域幅情報（以下、「ＢＷ情報」と表記）に基づいて、PRB bunldlingサイズ（つまり、PRG size）、及び、RBGサイズ（RBG size）を決定する。例えば、R-PDCCH用サーチスペース決定部１０５は、図５に示す対応関係に従って、PRB bunldlingサイズ（PRG size）、及び、RBGサイズを決定してもよい。
【００４６】
また、R-PDCCH用サーチスペース決定部１０５は、中継局２００用の制御信号（R-PDCCH信号。例えば、DL grant等の制御情報）を送信するリソース領域（R-PDCCH領域）の候補としてサーチスペース（R-PDCCH用サーチスペース）を決定する。R-PDCCH用サーチスペース決定部１０５は、決定したR-PDCCH用サーチスペースを示すサーチスペース情報を誤り訂正符号化部１０６に出力する。また、R-PDCCH用サーチスペース決定部１０５は、PRB bundlingサイズ、RBGサイズ、及びサーチスペース情報を制御信号割当部１１０に出力する。なお、R-PDCCH用サーチスペース決定部１０５は、サーチスペース情報を、RBG単位又はPRB単位で生成する。
【００４７】
誤り訂正符号化部１０６は、送信信号（主にデータ信号）、及び、R-PDCCH用サーチスペース決定部１０５から入力されるR-PDCCHのサーチスペース情報を入力とし、入力信号を誤り訂正符号化して、誤り訂正符号化後の信号を変調部１０７へ出力する。
【００４８】
変調部１０７は、誤り訂正符号化部１０６から受け取る信号を変調し、変調後の信号を信号割当部１０８へ出力する。
【００４９】
信号割当部１０８は、変調部１０７から受け取る信号をリソースに割り当て、プリコーディング部１１１へ出力する。例えば、信号割当部１０８は、中継局２００宛ての下り制御信号（R-PDCCH信号）に含まれるDL grantが示すリソース領域に、信号（データ信号を含む）を配置する。例えば、信号割当部１０８は、中継局２００向けのPRG（又はRBG）を構成するPRBにおいて、R-PDCCH信号（DL grant）が配置されるリソース領域以外のリソース領域に、送信信号（データ信号（PDSCH信号）を含む）を配置する。
【００５０】
制御信号符号化部１０９は、制御信号（R-PDCCH信号）を符号化する。制御信号には、例えば、データ信号（PDSCH信号）に関する制御情報（DL grant、UL grant、ランク数、符号化率、変調方式等）が含まれる。なお、制御信号符号化部１０９は、Aggregation size決定部１０９１と、符号化部１０９２とを含む構成を採る。
【００５１】
具体的には、Aggregation size決定部１０９１は、基地局１００と中継局２００との間の回線品質を示すeNB-RN回線品質情報に応じて、制御信号のアグリゲーションサイズを決定する。例えば、Aggregation size決定部１０９１は、図６に示すように、eNB-RN回線品質情報に応じて、アグリゲーションサイズ＝１，２，４，８のいずれか１つを決定してもよい。Aggregation size決定部１０９１は、決定したアグリゲーションサイズを符号化部１０９２及びR-PDCCH用PRB決定部１１０へ出力する。
【００５２】
符号化部１０９２は、Aggregation size決定部１０９１で決定されたアグリゲーションサイズに応じて、制御信号（R-PDCCH信号）を符号化し、符号化後の制御信号を制御信号割当部１１０へ出力する。
【００５３】
制御信号割当部１１０は、制御信号符号化部１０９から入力される制御信号（R-PDCCH信号）をリソースに割り当て、プリコーディング部１１１へ出力する。なお、制御信号割当部１１０は、R-PDCCH用PRB決定部１１０１と、割当部１１０２とを含む構成を採る。
【００５４】
具体的には、R-PDCCH用PRB決定部１１０１は、eNB-RN回線品質情報、Aggregation size決定部１０９１から入力されるR-PDCCHのアグリゲーションサイズ、及び、R-PDCCH用サーチスペース決定部１０５から入力されるPRB bundlingサイズ、RBGサイズ及びサーチスペース情報に基づいて、R-PDCCH用サーチスペースに含まれるPRBのうち、実際に制御信号（R-PDCCH信号）を配置するPRBを決定する。例えば、R-PDCCH用PRB決定部１１０１は、R-PDCCH用サーチスペースに含まれるPRBのうち、PRB bundlingされるPRBを選択して、制御信号（R-PDCCH信号）を配置するPRBに決定する。
【００５５】
割当部１１０２は、R-PDCCH用PRB決定部１１０１で決定されたPRBに制御信号（R-PDCCH信号）を割り当てる。つまり、割当部１１０２は、R-PDCCH用サーチスペースに含まれるPRBのうち、PRB bundlingされるPRBに、中継局２００用の制御信号（R-PDCCH信号）を割り当てる。PRBに割当てられた制御信号（R-PDCCH）は、プリコーディング部１１１へ出力される。
【００５６】
また、信号割当部１０８及び制御信号割当部１１０は、チャネル推定に使用される参照信号（DM-RS）を、リソースに配置する。例えば、信号割当部１０８、１１０は、図４（ａ）又は図４（ｂ）に示すように、各スロット（1st slot及び2nd slotの双方、又は、1st slotのみ）の後方２シンボルに参照信号（DM-RS）を配置する。
【００５７】
プリコーディング部１１１は、信号割当部１０８でリソースに割り当てられた送信信号（データ信号）と、制御信号割当部１１０でリソースに割り当てられた制御信号（R-PDCCH信号）と、信号割当部１０８及び制御信号割当部１１０でリソースに割り当てられた参照信号（DM-RS）と、に対して、プリコーディング処理を実施する。そして、プリコーディング部１１１は、プリコーディング処理後の信号を無線送信部１１２−１、１１２−２に配分する。
【００５８】
プリコーディング部１１１は、データ信号（PDSCH信号）が配置されたリソース領域（データ領域）では、図示しない設定部で設定されたランクに応じたスケーリングを適用する。例えば、データ信号（PDSCH信号）に対するランク＝２の場合、プリコーディング部１１１は、各ストリームの信号の電力を予め設定された送信電力の半分（１／２）とする。これにより、基地局１００は、送信電力の合計をランクによらず一定とする。なお、プリコーディング部１１１は、同一PRG内のデータ信号（PDSCH信号）が配置される領域では、同一プリコーディングを適用する。また、プリコーディング部１１１は、例えば、データ信号（PDSCH信号）に適用するプリコーディングをサブフレーム単位毎に設定する。一方、前述のとおり、制御信号（R-PDCCH）が配置されたリソース領域のランクが常に１と固定であるため、プリコーディング部１１１は、制御信号に対してスケーリングを適用しない。すなわち、R-PDCCHに対してPower boostが適用され、データ信号（PDSCH信号）と比較して制御信号（R-PDCCH信号）は大きな電力で送信されることになる。
【００５９】
無線送信部１１２−１，１１２−２は、プリコーディング部１１１から入力される信号に対してアップコンバート等の無線送信処理を施し、アンテナ１１３−１，１１３−２を介して送信する。
【００６０】
[中継局２００の構成]
図１０は、本実施の形態に係る中継局２００の構成を示すブロック図である。図１０において、中継局２００は、アンテナ２０１−１，２０１−２と、無線受信部２０２−１，２０２−２と、信号分離部２０３と、復調部２０４と、誤り訂正復号部２０５と、ブラインド復号決定部２０６と、R-PDCCH受信部２０７と、誤り訂正符号化部２０８と、変調部２０９と、信号割当部２１０と、無線送信部２１１と、アンテナ２１２と、を有する。また、ブラインド復号決定部２０６とR-PDCCH受信部２０７とで、ブラインド復号部を構成する。
【００６１】
無線受信部２０２−１，２０２−２は、基地局１００又は移動局から送信された信号をアンテナ２０１−１，２０１−２をそれぞれ介して受信し、ダウンコンバート等の無線処理を施した後に信号分離部２０３へ出力する。
【００６２】
信号分離部２０３は、ブラインド復号決定部２０６から入力されるブラインド復号情報に基づいて、無線受信部２０２−１，２０２−２から入力される受信信号から、ブラインド復号対象の信号を分離する。ここで、ブラインド復号情報とは、R-PDCCHのサーチスペースに含まれるPRBのうち、ブラインド復号対象のPRBを示す情報であり、アグリゲーションサイズに応じて変化する。また、ブラインド復号対象のPRBとは、中継局２００宛ての制御信号（R-PDCCH信号）が配置されたPRBである。信号分離部２０３は、分離したブラインド復号対象の信号を、R-PDCCH受信部２０７に出力する。
【００６３】
また、信号分離部２０３は、R-PDCCH受信部２０７から受け取るDL grantに基づいてデータ信号を抽出する。そして、信号分離部２０３は、R-PDCCH受信部２０７から受け取るランクに応じたＭＩＭＯ空間分離処理を、中継局用データに適用し、各ストリームのデータに分離する。この際、信号分離部２０３は、各リソース領域に配置された参照信号（DM-RS）を抽出し、抽出した参照信号を用いて、データ信号（PDSCH信号）に対するチャネル推定を行う。ここでは、信号分離部２０３は、データ信号（PDSCH信号）が配置されたリソース領域に配置された参照信号（DM-RS）を用いてチャネル推定を行う。そして、信号分離部２０３は、推定したチャネル推定値に基づいて、基地局１００で適用されたプリコーディングを特定する。
【００６４】
そして、信号分離部２０３は、分離した各ストリームのデータ及びチャネル推定値を復調部２０４へ出力する。信号分離部２０３においてＭＩＭＯ空間分離処理に際し用いるチャネル推定値の詳細は後述する。
【００６５】
復調部２０４は、信号分離部２０３から入力されたチャネル推定値に基づいて、データ信号（PDSCH信号）を復調し、復調後の信号を誤り訂正復号部２０５へ出力する。つまり、復調部２０４は、各リソースに配置された参照信号（DM-RS）に基づいて、信号を復調する。ここでは、復調部２０４は、データ信号（PDSCH信号）が配置されたリソース領域に配置された参照信号（DM-RS）を用いてデータ信号を復調する。
【００６６】
誤り訂正復号部２０５は、復調部２０４から入力される信号を復号し、復号後の信号に含まれるR-PDCCHのサーチスペース情報を、ブラインド復号決定部２０６へ出力するとともに、復号後の信号を誤り訂正符号化部２０８へ出力する。この信号は、誤り訂正符号化部２０８、変調部２０９、信号割当部２１０、及び無線送信部２１１を介して送信されることにより、基地局１００から送信された信号が中継局２００によって中継されることになる。
【００６７】
ブラインド復号決定部２０６は、誤り訂正復号部２０５から入力されるR-PDCCHのサーチスペース情報（R-PDCCH割当領域候補情報）がRBG単位の場合、システム帯域幅情報（ＢＷ情報）に基づいて、RBGサイズ、及び、PRGサイズ（PRB bundlingサイズ）を決定する。また、ブラインド復号決定部２０６は、サーチスペースに含まれるPRBのうち、ブラインド復号対象のPRBをアグリゲーションサイズ毎に設定して、ブラインド復号対象のPRBを示すブラインド復号情報を生成する。ブラインド復号情報は、信号分離部２０３、及びR-PDCCH受信部２０７へ出力される。
【００６８】
R-PDCCH受信部２０７は、ブラインド復号決定部２０６から入力されるブラインド復号情報に基づいて、信号分離部２０３から入力されるブラインド復号対象の信号に対してブラインド復号を行い、自局宛てのR-PDCCH信号を検出する。例えば、R-PDCCH受信部２０７は、ブラインド復号対象のPRBに配置されたDM-RSを用いてチャネル推定を行い、得られたチャネル推定値に基づいてR-PDCCH信号を抽出する。そして、R-PDCCH受信部２０７は、検出されたR-PDCCH信号に含まれるDL grant、及び、ランクを信号分離部２０３へ出力する。また、R-PDCCH受信部２０７は、例えば、R-PDCCH信号に含まれるUL grantを信号割当部２１０に出力する。
【００６９】
誤り訂正符号化部２０８は、誤り訂正復号部２０５から入力される信号（基地局１００から送信された信号）を誤り訂正符号化し、変調部２０９へ出力する。
【００７０】
変調部２０９は、誤り訂正符号化部２０８から入力される信号を変調し、変調信号を信号割当部２１０へ出力する。
【００７１】
信号割当部２１０は、基地局１００から通知（例えば、R-PDCCH信号を用いて通知）されたUL grantに従って、変調部２０９から入力される変調信号をリソースに割り当て、無線送信部２１１へ出力する。
【００７２】
無線送信部２１１は、信号割当部２１０から入力される信号に対してアップコンバート等の無線送信処理を施し、アンテナ２１２を介して送信する。
【００７３】
[基地局１００及び中継局２００の動作]
以上の構成を有する基地局１００及び中継局２００の動作について説明する。ここでは特に、チャネル推定値の算出処理について説明する。
【００７４】
基地局１００において、R-PDCCH用サーチスペース決定部１０５は、ＢＷ情報に基づいて、PRB bunldlingサイズ及びRBGサイズを決定する。例えば、図１１では、R-PDCCH用サーチスペース決定部１０５は、RBGサイズ＝３とし、PRGサイズ＝３とする。つまり、図１１では、PRB#0〜＃2の３つのPRBから成るRBG単位で、同一プリコーディングが適用されるPRGが構成される。
【００７５】
また、R-PDCCH用サーチスペース決定部１０５は、制御信号（R-PDCCH信号）を配置するリソース領域候補であるサーチスペースを決定する。例えば、図１１では、R-PDCCH用サーチスペース決定部１０５は、PRB#0内でR-PDCCH用サーチスペースを決定する。なお、前述したように、DL grantがR-PDCCH領域内の1st slotに配置される場合、R-PDCCH用サーチスペースは、PRB#0内の1st slotに設定される。決定されたサーチスペースを示すサーチスペース情報は中継局２００に送信される。
【００７６】
また、図１１では、R-PDCCH信号のアグリゲーションサイズを１とする。
【００７７】
図１１では、制御信号割当部１１０は、DL grant（R-PDCCH信号）を、PRB#0の1st slotに配置し、信号割当部１０８は、データ信号（PDSCH信号）を、PRB#0の2nd slot、PRB#1及びPRB#2に配置する。すなわち、基地局１００は、中継局２００に対して設定されたPRG（PRB#0〜#2）内において、PRB#0の1st slotに対応するリソース領域（第１領域）にDL grant（R-PDCCH信号）を配置し、PRB#0の1st slot（第１領域）以外のPRB#0の2nd slot、PRB#1及びPRB#2（第２領域）にデータ信号（PDSCH信号）を配置する。
【００７８】
つまり、図１１では、データ信号が配置されるリソース領域（第２領域）は、DL grantが配置されるリソース領域（第１領域）を構成するPRB#0と周波数が同じであり、かつ、時間領域において後続するリソース領域（PRB#0の2nd slot。第３領域）と、DL grantが配置されるリソース領域（第１領域）とは異なる周波数のリソース領域（PRB#1,#2。第４領域）とで構成される。
【００７９】
また、図１１に示すように、信号割当部１０８及び制御信号割当部１１０は、PRB#0〜#2の各1st slotの後方２シンボルにチャネル推定用の参照信号（DM-RS）を配置する。すなわち、チャネル推定のために用いられる参照信号（DM-RS）は、DL grantが配置されるリソース領域（第１領域）及びデータ信号が配置されるリソース領域（第２領域）の双方に配置される。
【００８０】
次いで、図１１に示すように、プリコーディング部１１１は、DL grantが配置されるPRB#0の1st slot（第１領域）では、DL grant及びDM-RSに対して、ランク＝１のプリコーディング処理を行い、Power boostを適用する。一方、図１１に示すように、プリコーディング部１１１は、データ信号が配置されるPRB#0の1st slot及びPRB#1,#2（第２領域）では、データ信号及びDM-RSに対して、設定されたランク（図１１ではランク＝２）のプリコーディング処理を行う。
【００８１】
すなわち、PRG（RBG単位）内に配置されたデータ信号（PDSCH信号）は、同一のプリコーディングを用いて送信される。また、DL grantが配置されるリソース領域（第１領域）と、データ信号が配置されるリソース領域（第２領域）とでは、DM-RSに適用されるプリコーディング（ランク）が異なる。
【００８２】
これに対して、図１１では、中継局２００において、ブラインド復号決定部２０６は、基地局１００と同様、ＢＷ情報に基づいて、RBGサイズ＝３とし、PRB bundlingサイズ＝３と決定する。また、ブラインド復号決定部２０６は、誤り訂正復号部２０５からのサーチスペース情報に基づいて、PRB#0の1st slotをブラインド復号対象のPRBとする。
【００８３】
次いで、信号分離部２０３は、受信信号から、ブラインド復号対象であるPRB#0の1st slotに配置されている信号を分離し、分離した信号（ブラインド復号対象の信号）をR-PDCCH受信部２０７に出力する。
【００８４】
R-PDCCH受信部２０７は、ブラインド復号対象であるPRB#0（1st slot）に配置された信号を、信号分離部２０３から受け取り、当該信号（ブラインド復号対象）に対してブラインド復号を行い、自局宛てのR-PDCCH信号を検出する。そして、R-PDCCH受信部２０７は、検出されたR-PDCCH信号に含まれるDL grant（及び、ランク）を信号分離部２０３へ出力する。
【００８５】
信号分離部２０３は、R-PDCCH受信部２０７から受け取るDL grantに基づいて、自局向けのデータ信号を抽出する。また、信号分離部２０３は、R-PDCCH受信部２０７から受け取るランクに応じたＭＩＭＯ空間分離処理をデータ信号（PDSCH信号）に適用する。
【００８６】
この際、信号分離部２０３は、各リソース領域に配置された参照信号（DM-RS）を抽出し、抽出した参照信号を用いて、データ信号（PDSCH信号）のチャネル推定を行う。具体的には、信号分離部２０３は、各PRBに配置された少なくとも１つの参照信号（DM-RS）から少なくとも１つのPRB毎のチャネル推定値を取得する。ここでは、信号分離部２０３は、データ信号（PDSCH信号）が配置されたリソース領域に配置された参照信号（DM-RS）を用いてチャネル推定を行う。
【００８７】
図１１では、信号分離部２０３は、データ信号が配置されるリソース領域（第２領域）であるPRB#1、#2に配置された参照信号（DM-RS）のみを用いて、チャネル推定を行う。例えば、信号分離部２０３は、まず、PRB#1,#2に配置された各DM-RSを用いてチャネル推定値を算出し、PRB毎のチャネル推定値を取得する。次いで、信号分離部２０３は、取得したPRB#1,#2のチャネル推定値を平均化した値を算出する。そして、図１１に示すように、信号分離部２０３は、PRB#1,#2のチャネル推定値の平均値を、PRB#1,#2におけるチャネル推定値として用いるのみでなく、PRB#0のチャネル推定値として用いる。
【００８８】
すなわち、信号分離部２０３は、DL grantが配置されるリソース領域（第１領域）とは異なる周波数のリソース領域（PRB#1,#2。第４領域）に配置された参照信号（DM-RS）を用いて、DL grantが配置されるリソース領域（第１領域）を構成するPRB#0と周波数が同じであり、かつ、時間領域において後続するリソース領域（PRB#0の2nd slot。第３領域）に配置されたデータ信号（PDSCH信号）に対するチャネル推定を行う。
【００８９】
そして、信号分離部２０３は、推定したチャネル推定値に基づいて、各ストリームのデータに分離する。
【００９０】
また、復調部２０４は、信号分離部２０３で取得されたチャネル推定値を用いて、データ信号を復調する。具体的には、図１１に示すように、復調部２０４は、PRB#1,#2に配置されたDM-RSを用いて取得したチャネル推定値を用いて、PRB#0〜#2に配置されたデータ信号（PDSCH信号）を復調する。
【００９１】
つまり、復調部２０４は、中継局２００に設定されたPRG（RBG単位）内でDL grantが配置されたリソース領域（第１領域）以外のリソース領域（第２領域）に配置されたDM-RSを用いて、データ信号を復調する。また、復調部２０４は、DL grantが配置されたリソース領域（第１領域）と周波数領域が同じかつ時間領域において後続するリソース領域（PRB#0の2nd slot。第３領域）に配置されたデータ信号を、DL grantが配置されたリソース領域（第１領域）とは周波数が異なるリソース領域（PRB#1,#2）に配置されたDM-RSを用いて、復調する。
【００９２】
換言すると、復調部２０４は、DL grantが配置されたPRB#0の1st slotに含まれるDM-RS（つまり、PDSCH信号と異なるプリコーディングが適用された参照信号）を用いずに、PDSCH信号が配置されたPRB#1,#2に含まれるDM-RS（つまり、PDSCH信号と同一のプリコーディングが適用された参照信号）を用いて、PDSCH信号を復調する。
【００９３】
ここで、図１１に示すような、中継局２００に設定されたPRG内（図５の場合、1PRGあたり最大3RB）の各PRBでは、伝搬環境が近似している可能性が高い。よって、中継局２００は、同一PRG内の一部のPRB（図１１ではPRB#1,#2）におけるチャネル推定値を複製して、他のPRB（図１１ではPRB#0）におけるチャネル推定値として流用することが可能である。
【００９４】
これにより、図１１に示すように、PRB#0では、他のPRB#1,#2においてPDSCH信号と同一プリコーディングが適用されたDM-RSを用いてPDSCH信号を復調することで、PDSCH信号と異なるプリコーディングが適用されたDM-RSを用いてPDSCH信号を復調する場合（図７）よりも、PDSCH信号のチャネル推定精度を向上させることができる。すなわち、PDSCH信号と異なるプリコーディングが適用されるDM-RSが配置されたPRB#0において、チャネル推定精度が劣悪になる状況を回避することができる。
【００９５】
このように、本実施の形態では、中継局２００は、PRGを構成するRBG単位の複数のPRBにおいて、データ信号（PDSCH信号）には同一プリコーディングが適用され、DL grantが配置されたPRBの1st slotのみで異なるプリコーディングが適用されることを考慮して受信処理を行う。具体的には、中継局２００は、DL grantが配置されたPRBに含まれるDM-RS（PDSCH信号と異なるプリコーディングが適用された参照信号）を用いない。また、中継局２００は、PDSCH信号のみが配置されたPRB（DL grantが配置されたPRB以外のPRB）に含まれるDM-RS（つまり、PDSCH信号と同一プリコーディングが適用された参照信号）を用いてチャネル推定を行う。これにより、中継局２００は、DL grantが配置されたPRBでも、チャネル推定精度を劣化させることなく、PDSCH信号を復調することができる。
【００９６】
よって、本実施の形態によれば、R-PDCCHの下り回線データ割当を指示するDL grantが配置されている場合でも、PDSCHのチャネル推定精度を向上させることができる。
【００９７】
なお、上記実施の形態では、図１１において、中継局２００がPRB#1,#2に含まれるDM-RSを用いて算出されたチャネル推定値の平均値を、PRB#0でのチャネル推定値として用いる場合について説明した。しかし、本実施の形態では、これに限らず、例えば、中継局２００は、PRB#1,#2に含まれるDM-RSを用いて算出された各チャネル推定値のうち、PRB#0に隣接するPRB#1のチャネル推定値を、PRB#0でのチャネル推定値として用いてもよい。これにより、PRB#0では、PRB#0に最も近いPRB#1（伝搬環境が最も近似するPRB）のチャネル推定値が使用されるので、DM-RSに対してPDSCH信号と異なるプリコーディングが適用されるPRB#0でも、チャネル推定精度の劣化を回避することができる。
【００９８】
また、上記実施の形態では、図５に示すような、システム帯域幅とPRGサイズとの対応関係を用いる場合について説明したが、本実施の形態で用いるPRGサイズはこれに限らない。例えば、参照信号のSNRを高めつつ、周波数選択性フェージングの影響を均一として、良好なビームを設定するために、PRGサイズはシステム帯域幅に対して適宜変更されてもよい。
【００９９】
[実施の形態２]
本実施の形態では、基地局は、各PRB内の1st slotに配置される信号に応じて、2nd slotに配置される信号の割当を制御する。
【０１００】
実施の形態１では、中継局は、同一PRG内において、PDSCH信号と同一プリコーディングが適用されたDM-RSを用いてデータ信号を復調した。しかし、PDSCH信号に適用されるプリコーディングにおいてランクが大きくなるほど、更なる課題が生じる可能性がある。
【０１０１】
具体的には、隣接するPRBでは伝搬環境が近似するものの、周波数選択性フェージングに起因して、実際のチャネル応答はPRB間で少しずつ異なっている。PRB間でチャネル応答の差異が生じる影響は、ランクがより大きい場合に顕著に現れる。これは、ランクが大きいほど、空間分離処理の際により高いチャネル推定精度が要求されるためである。この場合、中継局では、復調部における復調性能の劣化のみならず、信号分離部における空間分離性能の劣化に起因して、データ復調が困難となる場合が生じる。
【０１０２】
また、中継局では、同一PRG内において、PDSCH信号と同一プリコーディングが適用されたDM-RSから取得したチャネル推定値を用いた外挿補間によって、上記影響によるチャネル推定精度劣化を回避することが考えられる。しかし、外挿補間に基づくチャネル推定処理には膨大な処理量が必要となってしまう。
【０１０３】
ところで、上述したように、１サブフレームにおいて、チャネル推定のために用いられるDM-RSが1st slotのみに配置される場合（図４（ｂ）参照）、PDSCH信号のチャネル推定精度が劣化するのは、PRG内でR-PDCCH信号が配置されるPRBのみである。
【０１０４】
そこで、本実施の形態では、基地局は、中継局に設定したPRG内において、DL grant（R-PDCCH信号）が配置されたPRBにはデータ信号（PDSCH信号）を配置せずに、R-PDCCH信号が配置されたPRB以外のPRBにデータ信号（PDSCH信号）を配置する。
【０１０５】
図１２は、本実施の形態に係る基地局３００の主要構成図である。基地局３００において、配置部として機能する信号割当部３０１及び制御信号割当部１１０は、周波数領域を分割した複数のPRB（物理リソースブロック）のうち、一つ又は複数のPRBで構成されるプリコーディングリソースブロックグループ（PRG）の第１領域及び第２領域に参照信号（例えばDM-RS）を配置し、第１領域に制御情報（例えばDL grant）を配置し、第２領域にデータ（下り信号。PDSCH信号）を配置する。ここで、信号割当部３０１は、第１領域を構成するPRBと周波数領域が同じかつ時間領域において後続する領域には、データを配置しない。こうして、各リソースに配置された参照信号、制御情報及びデータは、中継局４００に送信される。
【０１０６】
本実施の形態に係る基地局３００の構成を図１３に示す。なお、図１３において、実施の形態１（図９）と同一の構成要素には同一の符号を付しその説明を省略する。図１３に示す基地局３００では、信号割当部３０１の動作が実施の形態１と異なる。
【０１０７】
具体的には、基地局３００において、信号割当部３０１には、制御信号割当部１１０から、R-PDCCH信号が割り当てられたPRBを示す情報が入力される。信号割当部３０１は、変調部１０７から入力される送信信号（PDSCH信号）をリソースに割り当てる際、制御信号割当部１１０から受け取った情報に示されるPRB（R-PDCCH信号が割り当てられたPRB）を、送信信号の割当対象から除外する。つまり、信号割当部３０１は、R-PDCCH信号が配置されるリソース領域を構成するPRBと周波数領域が同じかつ時間領域において後続するリソース領域には、送信信号を配置しない。換言すると、信号割当部３０１は、送信信号を、R-PDCCH信号が配置されるPRB以外のPRBに配置する。
【０１０８】
次に、本実施の形態に係る中継局４００の構成を図１４に示す。なお、図１４において、実施の形態１（図１０）と同一の構成要素には同一の符号を付しその説明を省略する。図１４に示す中継局４００では、信号分離部４０１の動作が実施の形態１と異なる。
【０１０９】
具体的には、中継局４００において、信号分離部４０１は、実施の形態１と同様、R-PDCCH受信部２０７から受け取るDL grantに従って、データ信号（PDSCH信号）を抽出する。また、信号分離部４０１は、R-PDCCH受信部２０７から受け取ったランクに応じたＭＩＭＯ空間分離処理を適用して各ストリームのデータを分離する。そして、信号分離部４０１は、分離した各ストリームのデータを復調部２０４へ出力する。この際、信号分離部４０１は、R-PDCCH信号が割り当てられたPRBに配置された信号（R-PDCCH信号が配置されたリソース領域と周波数領域が同じかつ時間領域において後続するリソース領域の信号）を除外して、残りの信号を復調部２０４に出力する。
【０１１０】
[基地局３００及び中継局４００の動作]
以上の構成を有する基地局３００及び中継局４００の動作について説明する。ここでは特に、データ信号の割当処理について説明する。
【０１１１】
以下の説明では、図１５に示すように、実施の形態１（図１１）と同様、RBGサイズ＝３とし、PRGサイズ＝３とし、PRB#0〜＃2の３つのPRBから成るRBG単位で、PRGが構成される。また、図１５に示すように、PRB#0を、R-PDCCH用サーチスペースとする。また、図１５では、R-PDCCH信号のアグリゲーションサイズを１RBとする。
【０１１２】
図１５に示すように、基地局３００において、信号割当部３０１は、DL grant（R-PDCCH信号）が配置されたPRB#0において、2nd slotにはデータ信号（PDSCH信号）を配置しない。つまり、信号割当部３０１は、DL grant（R-PDCCH信号）が配置されたリソース領域（PRB#0の1st slot。第１領域）を構成するPRB#0と周波数領域が同じかつ時間領域において後続するリソース領域（PRB#0の2nd slot）には、データ信号（PDSCH信号）を配置しない。換言すると、信号割当部３０１は、データ信号を、DL grantが配置されたPRB#0以外のPRB#1,#2に配置する。すなわち、図１５では、データ信号が配置されるリソース領域（第２領域）は、DL grantが配置されるリソース領域（第１領域）とは異なる周波数のリソース領域（PRB#1,#2）で構成される。
【０１１３】
これに対して、図１５では、中継局４００において、信号分離部４０１は、実施の形態１と同様、R-PDCCH受信部２０７から受け取るDL grantに基づいて、自局向けのデータ信号を抽出する。ここで、図１５に示すように、DL grantが配置されたPRB#0の2nd slotには、データ信号（PDSCH信号）は配置されていない。
【０１１４】
また、信号分離部２０３は、実施の形態１と同様、PRB#1、#2に配置された参照信号（DM-RS）を用いて、チャネル推定を行う。そして、信号分離部２０３は、チャネル推定値に基づいて、各ストリームのデータを分離する。これにより、図１５に示すように、PRGを構成するPRB#0〜#2において、R-PDCCH信号が割り当てられたPRB#0以外のPRB#1,#2に配置されたデータ信号（PDSCH信号）が復調部２０４に出力される。
【０１１５】
また、復調部２０４は、図１５に示すように、PRB#1,#2に配置されたDM-RSを用いて取得したチャネル推定値を用いて、PRB#1,#2に配置されたデータ信号（PDSCH信号）を復調する。
【０１１６】
このように、基地局３００は、PDSCH信号と異なるプリコーディングが適用されたDM-RS（R-PDCCH信号）が配置されたPRBでは、PDSCH信号を送信しない。よって、中継局４００は、PDSCH信号と異なるプリコーディングが適用されたDM-RSを用いたPDSCH信号の受信処理を行う必要が無くなる。これにより、中継局４００では、PDSCH信号のチャネル推定精度の劣化を回避し、良好なチャネル推定精度を得ることができる。すなわち、DL grantが配置されたPRBにデータを配置した場合のチャネル推定誤差に起因してデータ復調が困難になる状況を回避できる。
【０１１７】
よって、本実施の形態によれば、R-PDCCHの下り回線データ割当を指示するDL grantが配置されている場合でも、PDSCHのチャネル推定精度を向上させることができる。更に、本実施の形態によれば、ランクが大きい場合に高いチャネル推定精度を確保するために、隣接PRBのチャネル推定値を用いて外挿補間するような処理量の大きい回路が不要となる。このため、中継局の装置コストの増加を回避できる。
【０１１８】
なお、本実施の形態において、PRG=1の場合には、基地局は、DL grantが配置される可能性のあるPRB（サーチスペース）でPDSCH信号を配置しなくてもよい。PRG=1の場合とは、換言すれば、DL grantが配置されるPRG内に第４領域（DL grantが配置されるリソース領域（第１領域）とは異なる周波数のリソース領域）が存在しない場合である。この場合、データ信号の配置に際して、第３領域（DL grantが配置されるリソース領域（第１領域）を構成するPRBと周波数が同じであり、かつ、時間領域において後続するリソース領域）と同一のプリコーディングを適用できるリソース領域が存在しないことになる。そのため、ランクが大きい場合に高いチャネル推定精度を確保するためには、隣接PRBのチャネル推定値を用い、かつ隣接PRBに用いられたプリコーディング並びに第３領域に用いられたプリコーディングを推定しつつチャネル推定値を補間するような処理量の大きい回路が必要となる。これに対して、PRG=1の場合に、基地局が、DL grantが配置される可能性のあるPRBでPDSCH信号を配置しない上記構成をとることにより、実際のDL grantの配置によらず、処理量の大きい回路が不要となるため、中継局の装置コストの増加を回避できる。
【０１１９】
［実施の形態３］
本実施の形態では、基地局は、PDSCH信号に設定されるランクに応じて、R-PDCCH信号が配置されたリソース領域を構成するPRBでのPDSCH信号の割当を制御する。
【０１２０】
実施の形態２で述べたように、周波数選択性フェージングに起因してPRB間でチャネル応答の差異が生じる影響は、ランクがより大きい場合に顕著に現れる。すなわち、データ信号（PDSCH信号）のランクが小さい場合には、周波数選択性フェージングに起因してPRB間でチャネル応答の差異が生じる影響は小さいと言える。
【０１２１】
特に、PDSCH信号のランク＝１の場合には、ランクが固定（ランク＝１）のDL grantと同一プリコーディングがPDSCH信号に適用されることになる。
【０１２２】
そこで、本実施の形態では、基地局は、データ信号（PDSCH信号）のランクに応じて、DL grant（R-PDCCH信号）が配置されたPRBにデータ信号（PDSCH信号）を配置するか否かを切り替える。具体的には、基地局は、DL grant（R-PDCCH信号）と、データ信号（PDSCH信号）とに同一プリコーディングが適用される場合にのみ、DL grantが配置されたリソース領域を構成するPRBと周波数が同じかつ時間領域において後続するリソース領域に、データ信号を配置する。
【０１２３】
本実施の形態に係る基地局５００の構成を図１６に示す。なお、図１６において、実施の形態１（図９）と同一の構成要素には同一の符号を付しその説明を省略する。図１６に示す基地局５００では、信号割当部５０１及びプリコーディング部５０２の動作が実施の形態１と異なる。
【０１２４】
具体的には、信号割当部５０１には、PDSCH信号のランク、及び、制御信号割当部１１０から、R-PDCCH信号が割り当てられたPRBを示す情報が入力される。信号割当部５０１は、変調部１０７から入力される送信信号（PDSCH信号）をリソースに割り当てる際、ランクが複数の場合には、制御信号割当部１１０から受け取った情報に示されるPRB（R-PDCCH信号が割り当てられたPRB）を、送信信号の割当対象から除外する。一方、信号割当部５０１は、ランクが１の場合には、制御信号割当部１１０から受け取った情報に示されるPRB（R-PDCCH信号が割り当てられたPRB）を含むリソース領域に送信信号を配置する。
【０１２５】
プリコーディング部５０２は、データ信号（PDSCH信号）に設定されたランクが複数の場合には、実施の形態１と同様に、R-PDCCH信号にPower boostを適用し、データ信号に対してスケーリングを適用する。一方、プリコーディング部５０２は、データ信号（PDSCH信号）に設定されたランクが１の場合には、R-PDCCH信号及びデータ信号の双方にPower boostを適用し、同一のプリコーディングを適用する。
【０１２６】
次に、本実施の形態に係る中継局６００の構成を図１７に示す。なお、図１７において、実施の形態１（図１０）と同一の構成要素には同一の符号を付しその説明を省略する。図１７に示す中継局６００では、信号分離部６０１の動作が実施の形態１と異なる。
【０１２７】
具体的には、中継局６００において、信号分離部６０１は、実施の形態１と同様、R-PDCCH受信部２０７から受け取るDL grantに従って、データ信号（PDSCH信号）を抽出する。また、信号分離部６０１は、R-PDCCH受信部２０７から受け取ったランクに応じたＭＩＭＯ空間分離処理を適用して各ストリームのデータを分離する。そして、信号分離部６０１は、分離した各ストリームのデータを復調部２０４へ出力する。
【０１２８】
この際、信号分離部６０１は、データ信号（PDSCH信号）のランクが複数の場合には、実施の形態２と同様、R-PDCCH信号が割り当てられたPRBに配置された信号（R-PDCCH信号が配置されたリソース領域と周波数領域が同じかつ時間領域において後続するリソース領域の信号）を除外して、残りの信号を復調部２０４に出力する。また、信号分離部６０１は、R-PDCCH信号が配置されたPRB以外のPRBに配置された参照信号（DM-RS）を用いてチャネル推定を行う。
【０１２９】
一方、信号分離部６０１は、データ信号（PDSCH信号）のランクが１の場合には、R-PDCCH信号が割り当てられたPRBに配置されたデータを含む信号を復調部２０４に出力する。また、信号分離部６０１は、データ信号（PDSCH信号）及びR-PDCCH信号が配置されたPRBに配置された参照信号（DM-RS）を用いてチャネル推定を行う。例えば、信号分離部６０１は、PRG内において、R-PDCCH信号が配置されたPRBのチャネル推定値と、他のPRBのチャネル推定値とを平均化して、チャネル推定精度を向上させる。
【０１３０】
[基地局５００及び中継局６００の動作]
以上の構成を有する基地局５００及び中継局６００の動作について説明する。ここでは特に、データ信号の割当処理について説明する。
【０１３１】
以下の説明では、図１８Ａ，Ｂに示すように、実施の形態１（図１１）と同様、RBGサイズ＝３とし、PRGサイズ＝３とし、PRB#0〜＃2の３つのPRBから成るRBG単位でPRGが構成される。また、図１８Ａ，Ｂに示すように、PRB#0を、R-PDCCH用サーチスペースとする。また、図１８Ａ，Ｂでは、R-PDCCH信号のアグリゲーションサイズを１RBとする。また、図１８Ａでは、データ信号（PDSCH信号）のランクを１とし、図１８Ｂでは、データ信号（PDSCH信号）のランクを２とする。
【０１３２】
図１８Ａに示すように、基地局５００において、信号割当部５０１は、データ信号（PDSCH信号）のランクが１であるので、DL grant（R-PDCCH信号）が配置されたPRB#0において、2nd slotにもデータ信号を配置する。
【０１３３】
また、図１８Ａに示すように、プリコーディング部５０２は、データ信号（PDSCH信号）のランクが１であるので、DL grant（R-PDCCH信号）及びデータ信号に対してPower boostを適用する。すなわち、図１８Ａでは、DL grant（R-PDCCH信号）とデータ信号（PDSCH信号）とが、同一のプリコーディングを用いて送信される。
【０１３４】
一方、図１８Ｂに示すように、信号割当部５０１は、データ信号（PDSCH信号）のランクが２であるので、DL grant（R-PDCCH信号）が配置されたPRB#0において、2nd slotにはデータ信号を配置しない。
【０１３５】
また、図１８Ｂに示すように、プリコーディング部５０２は、データ信号（PDSCH信号）のランクが２であるので、実施の形態１と同様、設定されたランクのプリコーディング処理を行う。すなわち、図１８Ｂでは、DL grant（R-PDCCH信号）とデータ信号（PDSCH信号）とが、異なるプリコーディングを用いて送信される。
【０１３６】
つまり、信号割当部５０１は、DL grantとデータ信号とが、同一ランクの場合（同一のプリコーディングを用いて送信される場合）のみ、DL grantが配置されたPRB#0の1st slot（第１領域）と周波数領域が同じかつ時間領域において後続するリソース領域（PRB#0の2nd slot）に、データ信号（PDSCH信号）を配置する（図１８Ａ参照）。
【０１３７】
これに対して、中継局６００において、信号分離部６０１は、実施の形態１と同様、R-PDCCH受信部２０７から受け取るDL grantに基づいて自局向けのデータ信号を抽出する。
【０１３８】
ここで、図１８Ａ（データ信号のランク＝１）に示すように、DL grantが配置されたPRB#0では、2nd slotにデータ信号（PDSCH信号）が配置されている。一方、図１８Ｂ（データ信号のランク＝２）に示すように、DL grantが配置されたPRB#0では、2nd slotにデータ信号（PDSCH信号）が配置されていない。
【０１３９】
また、信号分離部２０３は、図１８Ａ（データ信号のランク＝１）では、PRB#0の1st slot（第１領域）に配置されたDM-RSと、PRB#1,#2（第２領域）に配置されたDM-RSとを用いて、PDSCH信号のチャネル推定を行う。すなわち、図１８Ａでは、復調部２０４は、PRB#0の1st slotに配置されたDM-RSと、PRB#1,#2に配置されたDM-RSとを用いて取得したチャネル推定値を用いて、PRB#0〜#2に配置されたデータ信号（PDSCH信号）を復調する。
【０１４０】
一方、信号分離部２０３は、図１８Ｂ（データ信号のランク数＝２）では、PRB#1,#2（第２領域）に配置されたDM-RSのみを用いて、PDSCH信号のチャネル推定を行う。すなわち、図１８Ｂでは、復調部２０４は、PRB#1,#2に配置されたDM-RSを用いて取得したチャネル推定値を用いて、PRB#1,#2に配置されたデータ信号（PDSCH信号）を復調する。
【０１４１】
このように、基地局５００は、PDSCH信号と異なるプリコーディングが適用されたDM-RS（R-PDCCH信号）が配置されたPRBでは、PDSCH信号を送信しない。これにより、中継局６００では、実施の形態２と同様、PDSCH信号のチャネル推定精度の劣化を回避し、良好なチャネル推定精度を得ることができる。
【０１４２】
また、基地局５００は、PDSCH信号と同一プリコーディングが適用されたDM-RS（R-PDCCH信号）が配置されたPRBでは、PDSCH信号を送信する。すなわち、基地局５００は、PDSCH信号のランクが、R-PDCCH信号のランク（固定）と同一のランク＝１の場合のみ、R-PDCCH信号が配置されたPRBでPDSCH信号を送信する。よって、中継局６００では、PRG内のPRB#0〜#2のチャネル推定値をすべて用いることができる。これにより、R-PDCCH信号が配置されたPRBでの伝送効率の低下を防止しつつ、中継局６００におけるPDSCH信号のチャネル推定精度を向上させることができる。すなわち、PDSCH信号のランクが大きい場合でもチャネル推定精度の劣化を生じさせることなく、かつ、データ割当PRBが減少することによる伝送効率の低下を最小限に抑えることができる。
【０１４３】
よって、本実施の形態によれば、R-PDCCHの下り回線データ割当を指示するDL grantが配置されている場合でも、PDSCHのチャネル推定精度を向上させつつ、伝送効率の低下を防止することができる。また、本実施の形態によれば、実施の形態２と同様、ランクが大きい場合に高いチャネル推定精度を確保するために、隣接PRBのチャネル推定値を用いて外挿補間するような処理量の大きい回路が不要となる。このため、中継局の装置コストの増加を回避できる。
【０１４４】
なお、本実施の形態では、R-PDCCHのAggregation size＝１の場合について説明したが、Aggregation sizeが２以上の場合（つまり、DL grantが配置されたリソース領域（第１領域）が複数のPRBから構成されている場合）にも本発明を適用できる。すなわち、基地局は、複数のPRBの1st slot（第１領域）に配置されているDL grant（R-PDCCH信号）と、上記第１領域と異なるリソース領域（第２領域）に配置されているデータ信号（PDSCH信号）とが、同一のプリコーディングを用いて送信される場合にのみ、DL grantが配置されたリソース領域（第１領域）を構成するPRBと周波数領域が同じかつ時間領域において後続するリソース領域に、データ信号（PDSCH信号）を配置してもよい。こうすることで、R-PDCCH（DL grant）にAggregationが適用されても、本実施の形態と同様、R-PDCCHの下り回線データ割当を指示するDL grantが配置されている場合でも、PDSCHのチャネル推定精度を向上させつつ、伝送効率の低下を防止することができる。
【０１４５】
また、本実施の形態では、基地局がPDSCH信号のランクに応じて、R-PDCCH信号が配置されたPRBにデータ信号（PDSCH信号）を配置するか否かを切り替える場合について説明した。しかし、これに限らず、基地局は、PDSCH信号のランクと関連付けられる他の指標に応じて、R-PDCCH信号が配置されたPRBにデータ信号（PDSCH信号）を配置するか否かを切り替えてもよい。例えば、ランクと関連付けられる他の指標として、R-PDCCHのAggregation size（CCE Aggregation size）を用いてもよい（図１９参照）。R-PDCCHに対してAggregationが適用されやすいのは、PDSCH信号のランクが１の場合である。よって、基地局は、Aggregation sizeが１より大きい場合（Aggregationが適用される場合）、R-PDCCH信号が配置されたPRBにデータ信号（PDSCH信号）を配置してもよい。これにより、伝送効率低下を回避できる。一方、基地局は、Aggregation sizeが１の場合（Aggregationが適用されない場合）、R-PDCCH信号が配置されたPRBにデータ信号（PDSCH信号）を配置しない。これにより、チャネル推定精度劣化を回避できる。すなわち、この構成を採ることにより、ランクの設定に柔軟性を持たせつつ、「チャネル推定精度劣化」と「伝送効率低下」のうち回避したい劣化要因を適応的に切り替えられる。
【０１４６】
以上、本発明の各実施の形態について説明した。
【０１４７】
[他の実施の形態]
（１）なお、上記各実施の形態では、中継局２００，４００，６００がR-PDCCH信号を受信する場合について説明した。しかし、これに限らず、移動局（図示せず）が、基地局１００，３００，５００から送信されたR-PDCCH信号を受信する場合でも、移動局が中継局２００，４００，６００と同様の処理を行うことで、本発明と同様の効果を得ることができる。
【０１４８】
（２）また、上記各実施の形態の図１１、図１５、図１８及び図１９において、PRB又はRBGの番号付けについては奇数番号／偶数番号を逆にしてもよい。
【０１４９】
（３）また、上記実施の形態では、１つのPRB内に２つのslot（1st slot及び2nd slot）が構成される場合について説明した。しかし、各slot（1st slot及び2nd slot）をそれぞれ１つのPRBと定義して、既定の組み合わせによる周波数の1st slot及び2nd slotをPRB pairと呼ぶこともある。
【０１５０】
（４）また、上記実施の形態では、各アンテナとして説明したが、本発明はアンテナポート（antenna port）でも同様に適用できる。
【０１５１】
アンテナポートとは、１本または複数の物理アンテナから構成される、論理的なアンテナを指す。すなわち、アンテナポートは必ずしも１本の物理アンテナを指すとは限らず、複数のアンテナから構成されるアレイアンテナ等を指すことがある。
【０１５２】
例えばLTEにおいては、アンテナポートが何本の物理アンテナから構成されるかは規定されず、基地局が異なる参照信号（Reference signal）を送信できる最小単位として規定されている。
【０１５３】
また、アンテナポートはプリコーディングベクトル（Precoding vector）の重み付けを乗算する最小単位として規定されることもある。
【０１５４】
（５）上記各実施の形態では、本発明をハードウェアで構成する場合を例にとって説明したが、本発明はハードウェアとの連携においてソフトウェアでも実現することも可能である。
【０１５５】
また、上記各実施の形態の説明に用いた各機能ブロックは、典型的には集積回路であるＬＳＩとして実現される。これらは個別に１チップ化されてもよいし、一部または全てを含むように１チップ化されてもよい。ここでは、ＬＳＩとしたが、集積度の違いにより、ＩＣ、システムＬＳＩ、スーパーＬＳＩ、ウルトラＬＳＩと呼称されることもある。
【０１５６】
また、集積回路化の手法はＬＳＩに限るものではなく、専用回路または汎用プロセッサで実現してもよい。ＬＳＩ製造後に、プログラムすることが可能なＦＰＧＡ（Field Programmable Gate Array）や、ＬＳＩ内部の回路セルの接続や設定を再構成可能なリコンフィギュラブル・プロセッサーを利用してもよい。
【０１５７】
さらには、半導体技術の進歩または派生する別技術によりＬＳＩに置き換わる集積回路化の技術が登場すれば、当然、その技術を用いて機能ブロックの集積化を行ってもよい。バイオ技術の適用等が可能性としてありえる。
【０１５８】
２０１１年２月２２日出願の特願２０１１−０３５５９１の日本出願に含まれる明細書、図面および要約書の開示内容は、すべて本願に援用される。
【産業上の利用可能性】
【０１５９】
本発明は、PDSCHのチャネル推定精度を向上させるものとして有用である。
【符号の説明】
【０１６０】
１００，３００，５００  基地局
２００，４００，６００  中継局
１０１，１１３，２０１，２１２  アンテナ
１０２，２０２  無線受信部
１０３，２０４  復調部
１０４，２０５  誤り訂正復号部
１０５  R-PDCCH用サーチスペース決定部
１０６，２０８  誤り訂正符号化部
１０７，２０９  変調部
１０８，２１０，３０１，５０１  信号割当部
１０９  制御信号符号化部
１１０  制御信号割当部
１１１，５０２  プリコーディング部
１１２，２１１  無線送信部
２０３，４０１，６０１  信号分離部
２０６  ブラインド復号決定部
２０７  R-PDCCH受信部
１０９１  Aggregation size決定部
１０９２  符号化部
１１０１  R-PDCCH用PRB決定部
１１０２  割当部
【図１】
2012114666.tif 000003
【図２】
2012114666.tif 000004
【図３】
2012114666.tif 000005
【図４】
2012114666.tif 000006
【図５】
2012114666.tif 000007
【図６】
2012114666.tif 000008
【図７】
2012114666.tif 000009
【図８】
2012114666.tif 000010
【図９】
2012114666.tif 000011
【図１０】
2012114666.tif 000012
【図１１】
2012114666.tif 000013
【図１２】
2012114666.tif 000014
【図１３】
2012114666.tif 000015
【図１４】
2012114666.tif 000016
【図１５】
2012114666.tif 000017
【図１６】
2012114666.tif 000018
【図１７】
2012114666.tif 000019
【図１８】
2012114666.tif 000020
【図１９】
2012114666.tif 000021
【国際調査報告】
2012114666.tif 000022
2012114666.tif 000023